【手続補正書】
【提出日】平成16年6月1日(2004.6.1)
【手続補正１】
【補正対象書類名】明細書
【補正対象項目名】請求項１２
【補正方法】変更
【補正の内容】
【請求項１２】
上ハーフと下ハーフとを蓋合わせ状に結合して構成されたケース筐体を有し、このケース筐体内に磁気テープを収納した磁気テープカセットであって、
前記磁気テープを巻き取るテープリールと、
中央基部と、この中央基部から放射状に伸びた複数個の弾性アームを有し、この弾性アームで前記テープリールを付勢するリール付勢ばねと、
前記テープリールの上フランジ側の中央基部部分に配置され、前記リール付勢ばねの前記弾性アームの先端部を載置してまたは嵌入させて保持するばね受け座とを有し、
前記リール付勢ばねの前記中央基部が前記上ハーフの内面に当接し、前記リール付勢ばねの前記弾性アームの変形による付勢力によって、前記テープリールを前記下ハーフに向かって付勢することを特徴とする磁気テープカセット。
【手続補正２】
【補正対象書類名】明細書
【補正対象項目名】００２５
【補正方法】変更
【補正の内容】
【００２５】
しかし、従来技術の磁気テープカセットでは、長尺の磁気テープを巻回した１対のテープリールは、通常、磁気テープを巻回するリールハブを一体的に設けた下フランジと、この下フランジのリールハブの上端に固定された上フランジとからなっており、下フランジと上フランジとは異なる材質であって、超音波溶着や熱溶着によって一体に固定されている。しかし、超音波溶着や熱溶着によって一体に固定されているテープリールでは、これを安全に分解して、材質毎に分別することは容易ではなかった。
【手続補正３】
【補正対象書類名】明細書
【補正対象項目名】００５９
【補正方法】変更
【補正の内容】
【００５９】
また、この摺動溝は、ケース筐体に収納されるテープリールの中央を横断し、この摺動溝に摺動端部が嵌挿されるリール付勢部材のテープリールの当接部が、テープリールのリールハブの中央に当接するように、上ハーフの前後方向に沿って、開口部の周縁部内面に穿設される。リール付勢部材の摺動端部は、摺動溝に嵌挿され、この摺動溝の長手方向に沿って中央部を挟んで両側の位置の前摺動溝および後摺動溝にそれぞれ配置され、この前摺動溝および後摺動溝の内底面を摺動する。
さらに、窓開口部に取り外し可能に嵌装される透明の窓部材は、摺動溝に嵌挿されたリール付勢部材の摺動端部が摺動する前摺動溝および後摺動溝の下面に配設され、この前摺動溝および後摺動溝の内底面との間で摺動端部を挟持する挟持押え部を有する。この挟持押え部の端部は、上ハーフ内面の摺動溝に沿って設けられた段差部に嵌装される。
本態様においては、リール付勢部材を上ハーフ内面に保持するためにリール付勢部材の摺動端部が摺動する摺動溝は上ハーフ内面に穿設されており、摺動溝との間で摺動端部を挟持する窓部材の挟持押え部の端部は上ハーフ内面の摺動溝に沿って設けられた段差部に嵌装されるので、上ハーフ内面に不要な凸部を設ける必要がない。
【手続補正４】
【補正対象書類名】明細書
【補正対象項目名】００６１
【補正方法】変更
【補正の内容】
【００６１】
本態様のカセットの組立は、上ハーフの窓開口部に窓部材を嵌装し、窓部材の挟持押え部の端部を、摺動溝に沿ってこの摺動溝の縁辺に設けた段差部に嵌装した後、摺動溝の内底面と挟持押え部との間に、リール付勢部材の摺動端部を嵌挿することによって、上ハーフにリール付勢部材が装着される。このリール付勢部材が装着された上ハーフと、下ハーフ、前蓋等の所要の部材および部品を装着、組み付けることにより、前記リール付勢部材を有する磁気テープカセットを組立てることができる。
本発明のカセットの分解においては、ケース筐体を分解して上ハーフと下ハーフの結合を解き、上ハーフに装着されたリール付勢部材のテープリール当接部を引っ張り、摺動溝の内底面と挟持押え部との間に嵌挿された、リール付勢部材の摺動端部を引き抜くことによって、リール付勢部材を上ハーフから容易に分離して取り外すことができる。なお、本態様においては、窓部材は、上ハーフの窓開口部に対し、取り外し可能に構成されているので、上ハーフの窓開口部から窓部材を取り外した時に、リール付勢部材も簡単に取り外すことができる。
【手続補正５】
【補正対象書類名】明細書
【補正対象項目名】００８２
【補正方法】変更
【補正の内容】
【００８２】
なお、図６および図７に示す例では、板状リール付勢ばね５５または７３について、断面山形状の頭頂部５７または断面台形状の頭頂部８１が、テープリールの上部、例えば、リールハブの上部に当接する例を説明したが、本発明のカセットのリール付勢ばねにおいて、テープリールと当接する部位は、リール付勢ばねのいずれの部分でもよく、特に制限されない。例えば、図７（Ａ）に示すリール付勢ばね５５において、係合孔５９と頭頂部５７の間の途中の部位、または係止溝部６３と頭頂部５７との間の途中の部位が、テープリールと当接してもよい。
【手続補正６】
【補正対象書類名】明細書
【補正対象項目名】０１１０
【補正方法】変更
【補正の内容】
【０１１０】
図１９は、本発明の他の実施例に係る磁気テープカセットのリール付勢ばね挿入部近傍の断面図である。図１７に示す実施例との相違は、リール付勢ばね２３０の形状を変更した点にある。本実施例に係るリール付勢ばね２３０は、リール付勢ばね挿入部２１０の凹部２１２内の上ハーフ２００に接する２重屈曲部２３２の部分に、さらに屈曲部２３２と直交する方向に屈曲部２３２ａを追加し、凹部２１２を臨む上ハーフ２００の内面に当接させることにより、このリール付勢ばね挿入部２１０の部分（凹部２１２）における防塵の効果を高めると同時に、リール付勢ばね２３０を、上ハーフ２００の凹部２１１の下部に形成される凸部２１４の部分に挟持・係止させて、リール付勢ばね２３０の係止をより確実にしたものである。なお、リール付勢ばね２３０は、屈曲部２３２の先端側には弾性部２３３、屈曲部２３２ａの末端側には平坦部２３４を有することはいうまでもない。
【手続補正７】
【補正対象書類名】明細書
【補正対象項目名】０１３８
【補正方法】変更
【補正の内容】
【０１３８】
この上フランジ３６６を下フランジ３６４に組み付ける際には、係止爪３７２を挿入して上から強く押圧することによって、下フランジ３６４と一体に形成されたリールハブ３６２の内管３６２ｃの上部中央に設けられた突起３６２ｅが弾性変形して、係止爪３７２，３７４が下フランジ３６４の係止位置３６８，３７０にスナップフィットさせ、これによって、上フランジ３６６が下フランジ３６４に組み付けられる。そして、挿入後に、上述の押圧力を除くと、突起３６２ｅの弾性変形によって上フランジ３６６を上方に付勢する付勢力が生じて、この付勢力によって上フランジ３６６を下フランジ３６４にしっかりと結合して固定することができる。
このようにして上フランジ３６６を下フランジ３６４に結合することにより、下フランジ３６４と上フランジ３６６との当接面となる突起３６２ｅが、上フランジ３６６の係止爪３７２，３７４の内側でかつ上フランジ３６６のフランジ面３７６から十分に離れた位置に配置されており、この突起３６２ｅの弾性変形による付勢力が上フランジ３６６を上方に付勢するように作用する。
【手続補正８】
【補正対象書類名】明細書
【補正対象項目名】０１４０
【補正方法】変更
【補正の内容】
【０１４０】
図４４は、この具体例における下フランジ３６４のリールハブ３６２をモールドする金型の要部（中心部分）の構成を示す断面図である。この金型３８０は、通常の金型と同様に、可動側金型である上型３８２と固定側金型である下型３８４とからなっており、この上型３８２と下型３８４とで形成された空間に溶融したプラスチックを注入して成形するものである。ここで、下フランジ３６４の基準面Ａは、下型３８４に形成されており、さらに、係止爪３７２，３７４が係合する係止位置３６８，３７０となる面Ｃおよび面Ｄも下型３８４に一体的に固定されている固定コア３８６に形成されている。
従って、下型３８４に形成された下フランジ３６４の基準面Ａと固定コア３８６に形成された面Ｃおよび面Ｄとは、固定側金型または可動側金型のいずれか一方（この具体例では固定側金型）に、同一方向に向いて平行に設けられているので、高い精度で加工することが容易であり、金型の合わせ精度や熱変形，注入される溶融したプラスチックの圧力などで金型の合わせ位置が変動したとしても、基準面Ａと面Ｃおよび面Ｄの相対的な位置関係は変動することなく、金型の精度がそのまま転写されることになる。
【手続補正９】
【補正対象書類名】明細書
【補正対象項目名】符号の説明
【補正方法】変更
【補正の内容】
【符号の説明】
１，３１  リール付勢部材
３，３３  テープリール当接部
５ａ，５ｂ，３５ａ，３５ｂ  折曲腕部
７ａ，７ｂ，３７ａ，３７ｂ  摺動端部
９，２７  上ハーフ
１１  上ハーフの窓開口部
１３  窓開口部の周縁部内面
１５  摺動溝
１７ａ  前摺動溝
１７ｂ  後摺動溝
１９  窓部材
２１ａ，２１ｂ  挟持押え部
２３ａ，２３ｂ  端部
２５  段差部
２９  上板
３９  上ハーフの内面
４１ａ，４１ｂ  係止部
５１，８３  上ハーフ
５３  上ハーフの内面
５５，７３，９１  リール付勢ばね
５７，８１  頭頂部
５９，７５，９３  係合孔
６１，７７，９７  遊動溝
６３，７９，９４  係止溝部
６５  舌片状段差部
６７  切欠き
６９，８５  係合ピン
７１，８７  係止ピン
８９  仮止め凹部
９５  係止溝部の先端
１０１，１５３，１８１  上ハーフ
１０３，１２３，１５１，１７９，１８５  リール付勢部材
１０５，１２７  基台部
１０６  折曲部
１０７，１２５  テープリール当接部
１０９  取付部
１１１  当接部の表面
１１３  凹部
１１５，１８９  テープリール
１１７  リールハブ
１１９  頭頂部
１２１，１５５，１８３  上ハーフの内面
１２９  当接部
１３１  凸条部
１５７ａ，１５７ｂ，１７５，１８７ａ，１８７ｂ  可撓性リブ
１５９，１７７  当接部材
１６１ａ，１６１ｂ  係止端部
１６３  係止鍔部
１６５ａ，１６５ｂ  係止肩部
１６７  嵌装部
１６９，１９７  傾斜内面
１７１ａ，１７１ｂ，１９９ａ，１９９ｂ  摺動端部
１７３  下部頭頂部
１９１  テープリールの上面
１９３ａ，１９３ｂ  可撓性リブの先端
１９５  嵌挿部
２００  上ハーフ
２１０  リール付勢ばね挿入部
２１１  外面開口凹部
２１２  内面開口凹部
２１３  易分解構造部分
２１５  係合凹部
２１６  溝
２２０，２３０，２４０  リール付勢ばね
２２２，２３２，２３２ａ  屈曲部
２２３，２３３，２４３  弾性部
２２４，２３４，２４４  平坦部
２４２  鉤形屈曲部
２４５  突起
３００，３１０，３２０  テープリール
３０２，３１２，３２２  上フランジ
３０４，３１４，３２４  ばね受け座
３０４ａ  溝部
３０６，３１６，３２６  リール付勢ばね
３０６ａ，３１６ａ，３２６ａ  弾性アーム
３０６ｂ  凹部
３０６ｃ  薄肉部
３０８  ピボット
３０８ａ，３１６ｂ  凸部
３２２ａ  中心孔
３４０，３５０，３６０  テープリール
３４２，３５２，３６２  リールハブ
３４２ａ，３４２ｂ，３４２ｃ，３５２ａ，３５２ｂ，３５２ｃ  円管部
３４２ｄ，３５２ｄ  固定端
３４２ｅ，３５２ｅ，３６２ｄ  リブ
３４２ｆ，３５２ｆ  中間壁
３４２ｇ  蓋部
３４２ｈ  係止片
３４２ｉ，３４６ｃ  係合溝
３４４，３５４，３６４  下フランジ
３４６，３５６，３６６  上フランジ
３４６ａ、３５６ａ  円筒部
３４６ｂ，３５２ｇ，３５６ｂ，３５８ａ，３７２，３７４  係止爪
３４８  リール付勢ばね
３４８ａ  脚部
３４８ｂ、３５８ｃ，３６２ｅ  突起
３５６ｃ  ストッパ
３５８  係止部材
３５８ｂ  弾性部
３６２ａ  外管
３６２ｂ  連結部
３６２ｃ  内管
３６６ａ  空間
３６８，３７０  係止位置
３７６  フランジ面
３８０  金型
３８２  上型
３８４  下型
３８６  固定コア
３８８  面状の突起
３９０  弾性変形可能な変形部
４００，４１０，４１２，４２８  リール付勢ばね
４００ａ，４１２ａ  両端部
４００ｂ，４１２ｂ  中央部
４００ｃ，４１２ｃ  透孔
４００ｄ，４００ｅ，４１２ｄ，４１２ｅ  変曲点
４１２ｆ，４１２ｇ，４００ｆ，４００ｇ  薄肉部
４０２，４１４  金型
４０４  上型
４０６  下型
４０８  可動コア
４２０，４２２  可動ピン
４２４，４２６  調整ブロック
４２８ａ  孔
４３０，４３２  板ばね
４３０ａ，４３０ｂ，４３２ｂ  凹部
４３２ａ  脚部
【手続補正１０】
【補正対象書類名】図面
【補正対象項目名】図３
【補正方法】変更
【補正の内容】
【図３】
2003157646.tif 000001
【手続補正１１】
【補正対象書類名】図面
【補正対象項目名】図４８
【補正方法】変更
【補正の内容】
【図４８】
2003157646.tif 000002